(57)【要約】【課題】  遮光性と虫を寄せ付けない効果を有し、しかも汚れの目立たない灌水用チューブを得る。【解決手段】  散水するための散水用小孔２を長さ方向に所定間隔で設け、軟質合成樹脂で形成されるチューブ本体３とチューブ本体３の表面に積層されるシルバーに着色された着色層４とで灌水用チューブ１を構成する。これにより虫を効果的に寄せ付けないので、コオロギ等の虫により灌水用チューブが囓られるのを防止することができる。また、灌水用チューブ１の表面をシルバーに着色することで、従来の黒色と同程度の遮光性を有し、しかも、白色に比べて汚れが目立たないので、畑地や農業ハウスの美感を損なうこともない。【選択図】    図１
2010022294.tif 000002
【特許請求の範囲】
【請求項１】
水を散水するための散水用小孔が長さ方向に所定間隔で設けられた軟質合成樹脂製の灌水用チューブであって、前記灌水用チューブの表面がシルバーに着色されていることを特徴とする灌水用チューブ。
【発明の詳細な説明】
【技術分野】
【０００１】
本発明は、畑地や農業ハウスの灌水に用いられる灌水用チューブに関するものである。
【背景技術】
【０００２】
従来より、畑地や農業ハウスの農作物に水を散布する方法として、小孔を有する硬質合成樹脂製のパイプや軟質合成樹脂製のチューブを用いて水を散布する方法が広く普及している。
【０００３】
近年、取扱いが簡単で安価なことから、軟質樹脂製のチューブに所定間隔で散水用小孔が設けられた灌水用チューブを用いた散水方法が広く採用されており、この灌水用チューブの形状や構造に工夫を施した種々の技術が開示されている（特許文献１、２参照。）。
【０００４】
例えば、特許文献１には、チューブの内面に、高さ０．１ｍｍ〜０．５ｍｍ、幅１ｍｍ〜１０ｍｍの長さ方向に連続したリブを数条設けることで、灌水用チューブを一直線に延ばしたときの捩れ防止や、チューブの内面同士の密着を防止することができる灌水用チューブが開示されている。
【０００５】
また、特許文献２には、エンボス加工された灌水用チューブの表面にシリコーンオイルを塗布することで、農業用マルチフィルムとの融着防止効果が得られる灌水用チューブが開示されている。
【０００６】
上記の灌水用チューブでは、一般にチューブ内に太陽光が透過すると、チューブ内に藻が発生し、散水用小孔が目詰まりしてしまうことがあるので、かかる事態を防止するため、灌水用チューブの表面を遮光性の高い黒色で着色したものが広く使用されている。
【特許文献１】実開平６−１９４４２号広報
【特許文献２】特開平７−２２２５３２号広報
【発明の開示】
【発明が解決しようとする課題】
【０００７】
しかしながら、表面を黒色に着色した灌水用チューブは、高い遮光性を有するものの、コオロギ等の虫が灌水用チューブを囓るといった事態が発生し、灌水用チューブに穴があき水が漏れてしまうといった問題があった。
【０００８】
かかる事態を防止するため、発明者は鋭意研究した結果、虫の反射光を嫌う性質に着目し、灌水用チューブの表面を反射率の高い色に着色することで虫が灌水用チューブに寄りつかないことを見出した。
【０００９】
しかし、灌水用チューブは汚れやすい場所で使用するため、反射率の高い色のなかで、その種類によっては、例えば白色或いは白色に近い色の場合は、灌水用チューブの表面に付着した土や泥などの汚れが目立ち、汚らしくなるといった問題がある。
【００１０】
そこで、試験研究の結果、反射率が高く、そして汚れの目立たない色としてシルバーが最適であることを見出し、本発明を完成するに至った。
【００１１】
本発明の目的は、遮光性と虫を寄せ付けない効果を有し、しかも汚れの目立たない灌水用チューブを提供することにある。
【課題を解決するための手段】
【００１２】
請求項１に記載の発明は、水を散水するための散水用小孔が長さ方向に所定間隔で設けられた軟質合成樹脂製の灌水用チューブであって、前記灌水用チューブの表面がシルバーに着色されていることを特徴とする。
【発明の効果】
【００１３】
請求項１に記載の灌水用チューブでは、灌水用チューブの表面がシルバーに着色されているので、太陽光を高反射することができ、これにより虫を効果的に忌避させることができる。具体的には、コオロギ等の虫により灌水用チューブが囓られるのを防止することができる。また、灌水用チューブの表面をシルバーに着色することで、従来の黒色と同程度の遮光性を有し、しかも、白色に比べて汚れが目立たないので、畑地や農業ハウスの美感を損なうこともない。
【発明を実施するための最良の形態】
【００１４】
以下、本発明に係る灌水用チューブを実施するための最良の形態を、実施例にて詳細に説明する。 
図１は本発明に係る灌水用チューブの第１実施例を示すもので、チューブ本体の表面に着色層が設けられた灌水用チューブの断面斜視図である。
【００１５】
本実施例の灌水用チューブ１は、水を散水するための散水用小孔２が長さ方向に所定間隔で設けられている。
【００１６】
灌水用チューブ１は、円筒状の押し出し口を有するダイを用いて押出成形するなどの公知の成形方法により、周方向に継ぎ目なく製造される。
【００１７】
この灌水用チューブ１は、厚さが０．１ｍｍ〜０．２ｍｍに形成されており、大きさは、直径４〜５ｃｍ程度となっている。この厚さや大きさについては、特に限定されない。
【００１８】
散水用小孔２は、チューブの長さ方向に所定間隔で設けられており、散水用小孔２同士の間隔は、作物の定植間隔によって任意に選択され、通常は５ｃｍ〜３０ｃｍとなっている。また、散水用小孔２の大きさは、作物ごとの必要灌水量によって任意に選択され、通常は０．１ｍｍ〜０．８ｍｍとなっている。
【００１９】
本実施例の灌水用チューブ１は、軟質合成樹脂で形成されるチューブ本体３とチューブ本体３の表面に積層される着色層４とで構成されている。
【００２０】
チューブ本体３を形成する軟質合成樹脂としては、低密度ポリエチレン樹脂、直鎖状低密度ポリエチレン樹脂、エチレン−酢酸ビニル樹脂などが挙げられ、柔軟性、成形性、強度等に優れたものであれば特に限定されない。
【００２１】
チューブ本体３を形成する軟質合成樹脂には、本発明の効果を阻害しない範囲で耐候安定剤、耐熱安定剤、防曇剤、アンチブロック剤、スリップ剤等が添加されていてもよい。また、遮光性を高めるために黒色の着色剤を混練してもよい。
【００２２】
そして、チューブ本体３の表面に積層される着色層４は、公知の塗料や着色剤によりシルバーに着色されている。
【００２３】
この着色層４は、公知のシルバー塗料を塗布したシルバー塗装膜でもよいし、軟質合成樹脂にシルバーの着色顔料を混練したシルバー樹脂膜であってもよい。着色剤としては、例えば、平均粒径が数μ〜数十μ程度のアルミニウム粉顔料が含有されたマスターバッチが用いられる。
【００２４】
チューブ本体３には、その内面に、長さ方向に連続したリブ５が数条設けられている。このリブ５は、高さが約０．１ｍｍ〜０．５ｍｍ、幅が約１ｍｍ〜１０ｍｍとなっており、本実施例ではチューブ本体３の周方向に所定間隔を空けて６つのリブ５が設けられている。リブ５の高さ、幅、数量については特に限定されず、所望の目的に応じて適宜選択される。
【００２５】
上記のように構成された灌水用チューブ１は、チューブ本体３の表面に積層された着色層４がシルバーに着色されているので、太陽光を高反射することができ、これにより虫を効果的に忌避させることができる。具体的には、コオロギ等の虫により灌水用チューブ１が囓られるのを防止することができる。また、チューブ本体３の表面に積層された着色層４をシルバーに着色することで、従来の黒色と同程度の遮光性を有し、、しかも、白色に比べて汚れが目立たないので、畑地や農業ハウスの美感を損なうこともない。
【００２６】
図２は本発明に係る灌水用チューブの第２実施例を示すもので、チューブ本体を形成する軟質合成樹脂にシルバーの着色剤が混練された灌水用チューブの断面斜視図である。第１実施例と同じ部分には同一の符号を付し、その説明を省略する。
【００２７】
本実施例の灌水用チューブ１は、チューブ本体６を形成する軟質合成樹脂にシルバーの着色剤が混練されている。この着色剤としては、灌水用チューブの表面をシルバーに着色するものであれば特に限定されず、例えば、平均粒径が数μ〜数十μ程度のアルミニウム粉顔料が含有されたマスターバッチが用いられる。
【００２８】
その他の構成は第１実施例と同様なので、第１実施例を援用し、その説明を省略する。
【００２９】
上記のように構成された灌水用チューブ１は、チューブ本体６を形成する軟質合成樹脂にシルバーの着色剤が混練されているので、第１実施例のチューブ本体の表面に着色層を設ける灌水用チューブに比べて、製造工程を簡素化でき、安価に製造することができる。
【００３０】
その他の作用効果は第１実施例と同様なので、第１実施例を援用し、その説明を省略する。
【図面の簡単な説明】
【００３１】
【図１】本発明に係る第１実施例の灌水用チューブを示す断面斜視図である。
【図２】本発明に係る第２実施例の灌水用チューブを示す断面斜視図である
【符号の説明】
【００３２】
１  灌水用チューブ
２  散水用小孔
３  チューブ本体
４  着色層
５  リブ
６  チューブ本体
【図１】
2010022294.tif 000003
【図２】
2010022294.tif 000004